(57)【要約】【課題】本発明は自動車の日除け装置を開示した。【解決手段】本体及び前記本体の中に設置されるスライド移動溝を含み、前記スライド移動溝の底壁の中には第一切替チャンバが設置され、前記スライド移動溝の中にはスライドフレームが設置され、前記スライドフレームの右壁には第一ラックが固定されており、前記スライドフレームの中には伝動チャンバが設置され、本発明の自動車の日除け装置は日差しの状況によりソーラーパネルの角度を調節でき、日除け効果が良いだけでなく、発電効率も比較的に高い。【選択図】図１
2020172240.tif 000002
【特許請求の範囲】
【請求項１】
本体及び前記本体の中に設置されるスライド移動溝を含み、前記スライド移動溝の底壁の中には第一切替チャンバが設置され、前記スライド移動溝の中にはスライドフレームが設置され、前記スライドフレームの右壁には第一ラックが固定されており、前記スライドフレームの中には伝動チャンバが設置され、前記伝動チャンバの底壁の中にはスプラインスリーブが回転できるように設置され、前記伝動チャンバの中の前記スプラインスリーブの末端には第一ベベルギヤが固定的に設置され、前記スプラインスリーブの底壁の中にはスプライン孔が設置され、前記スプライン孔の中にはスプライン軸がスプラインにより連結され、前記スプライン軸の底部が前記第一切替チャンバの中に伸びており、且つ前記スプライン軸の底部の末端には第二ベベルギヤが固定的に設置され、前記伝動チャンバの右壁の中には第一ウォームが回転できるように設置され、前記伝動チャンバの中の前記第一ウォームの末端には前記第一ベベルギヤと噛み合っている第三ベベルギヤが固定的に設置され、前記スライドフレームの右壁には第一回転軸が回転できるように設置され、前記第一回転軸の外部にはソーラーパネル及び前記第一ウォームと噛み合っている第一ウォームホイールが固定的に設置され、前記スライド移動溝の右壁の中にはギヤチャンバが設置され、前記ギヤチャンバの中には第二回転軸が回転できるように設置され、前記第二回転軸の外部には前記第一ラックと噛み合っている第一ギヤが前後対称的に固定的に設置され、前記第二回転軸の外部には前後二つの前記第一ギヤの間に位置している第二ウォームホイールが設置され、前記ギヤチャンバの中には前記第二ウォームホイールと噛み合っている第二ウォームが回転できるように設置され、前記第一切替チャンバの右壁の中には第一スライドチャンバが設置され、前記第一スライドチャンバの底壁の中には第二切替チャンバが設置され、前記第一スライドチャンバの中には第一スライドブロックがスライドできるように設置され、前記第一スライドブロックの左壁の中には第一モータが固定的に設置され、前記第一モータの出力軸の末端には第四ベベルギヤが固定的に設置され、前記第一スライドブロックの中にはネジ穴が設置され、前記ネジ穴の中には前記第二ウォームと固定的に連結される第一ネジロッドがネジ山により連結され、前記第一ネジロッドの底部が前記第二切替チャンバに挿入されており、且つ前記第一ネジロッドの底部の末端には第二ギヤが固定的に連結され、前記第一ウォームホイールが回転して前記ソーラーパネルを連動させて回転させて日光を遮り、同時に前記ソーラーパネルが日差しのもとで電気量を生じて貯蔵を行うことを特徴とする自動車の日除け装置。
【請求項２】
前記第二切替チャンバの底壁の中には第二スライドチャンバが設置され、前記第二スライドチャンバの中には第二スライドブロックがスライドできるように設置され、前記第二スライドブロックの底壁には第二ラックが固定的に装着され、前記第二スライドブロックの頂壁の中には第二モータが固定的に設置され、前記第二モータの出力軸の末端には第三ギヤが固定的に設置され、前記第二切替チャンバの底壁の中には回転チャンバが設置され、前記回転チャンバと前記第二切替チャンバとの間には第三回転軸が回転できるように設置され、前記第二切替チャンバの中の前記第三回転軸の末端には前記第三ギヤと噛み合っている第四ギヤが固定的に設置され、前記回転チャンバの中には第四回転軸が回転できるように設置され、前記回転チャンバの中の第四回転軸の外面には前記第五ベベルギヤと噛み合っている第六ベベルギヤが固定的に設置され、前記第四回転軸の前後両側の末端が前記本体を貫通しており、且つ前記第四回転軸の前後両側の末端には第一ローラが固定的に設置され、前記第二モータを始動して回転させて前記第一ローラを連動させて回転させ、これにより前記本体を連動させて移動させることを特徴とする請求項１に記載の自動車の日除け装置。
【請求項３】
前記第一切替チャンバの底壁の中にはカムチャンバ及び前記カムチャンバの下方に位置しているベルトチャンバが設置され、前記ベルトチャンバと前記第一切替チャンバとの間には前記カムチャンバを貫通している第五回転軸が回転できるように設置され、前記第一切替チャンバの中の前記第五回転軸の末端には第七ベベルギヤが固定的に設置され、前記カムチャンバの中の前記第五回転軸の末端にはカムが固定的に設置され、前記ベルトチャンバの中の前記第五回転軸の末端には第一プーリが固定的に設置され、前記カムチャンバの右壁の中にはスライド孔が設置され、前記スライド孔の中には第三ラックがスライドできるように設置され、前記第三ラックと前記スライド孔の端壁との間には復帰装置が弾性的に設置され、前記スライド孔と前記第二スライドチャンバとの間には空きチャンバが回転できるように設置され、前記空きチャンバの中には前記第二ラック及び第三ラックと噛み合っている第五ギヤが回転できるように設置され、前記ベルトチャンバの底壁の中には第六回転軸が回転できるように設置され、前記ベルトチャンバの中の前記第六回転軸の末端には第二プーリが固定的に設置され、前記第二プーリと前記第一プーリとの間がベルトにより伝動できるように連結され、前記第六回転軸の底部が本体から突き出されており、且つ前記第六回転軸の末端には回転ベースが固定的に設置され、前記回転ベースの中には第二ローラが回転できるように設置され、前記第一モータを始動して小さい角度で回転させて前記回転ベースを連動させて回転させ、これにより前記本体が連動して方向を変えることを特徴とする請求項１に記載の自動車の日除け装置。
【発明の詳細な説明】
【技術分野】
【０００１】
本発明は自動車用品分野を取り上げて、具体的には自動車の日除け装置である。
【背景技術】
【０００２】
人が車をとめる時、特に熱い夏には、直射の日光が車の表面の温度を高め、これにより車の老化の速度を速め、従来の自動車の日除け装置は太陽熱発電装置を有しなく、しかも日光の移動とともに角度を調節することができなく、日除け効果が良くなく、そのため、上記の問題を解決するために自動車の日除け装置が必要である。
【先行技術文献】
【特許文献】
【０００３】
【特許文献１】中国特許出願公開第108297662号明細書
【発明の概要】
【発明が解決しようとする課題】
【０００４】
本発明は自動車の日除け装置を提供し、従来技術における上記欠点を解消し、設備の実用性を高めることを目的とする。
【課題を解決するための手段】
【０００５】
本発明の自動車の日除け装置は、本体及び前記本体の中に設置されるスライド移動溝を含み、前記スライド移動溝の底壁の中には第一切替チャンバが設置され、前記スライド移動溝の中にはスライドフレームが設置され、前記スライドフレームの右壁には第一ラックが固定されており、前記スライドフレームの中には伝動チャンバが設置され、前記伝動チャンバの底壁の中にはスプラインスリーブが回転できるように設置され、前記伝動チャンバの中の前記スプラインスリーブの末端には第一ベベルギヤが固定的に設置され、前記スプラインスリーブの底壁の中にはスプライン孔が設置され、前記スプライン孔の中にはスプライン軸がスプラインにより連結され、前記スプライン軸の底部が前記第一切替チャンバの中に伸びており、且つ前記スプライン軸の底部の末端には第二ベベルギヤが固定的に設置され、前記伝動チャンバの右壁の中には第一ウォームが回転できるように設置され、前記伝動チャンバの中の前記第一ウォームの末端には前記第一ベベルギヤと噛み合っている第三ベベルギヤが固定的に設置され、前記スライドフレームの右壁には第一回転軸が回転できるように設置され、前記第一回転軸の外部にはソーラーパネル及び前記第一ウォームと噛み合っている第一ウォームホイールが固定的に設置され、前記スライド移動溝の右壁の中にはギヤチャンバが設置され、前記ギヤチャンバの中には第二回転軸が回転できるように設置され、前記第二回転軸の外部には前記第一ラックと噛み合っている第一ギヤが前後対称的に固定的に設置され、前記第二回転軸の外部には前後二つの前記第一ギヤの間に位置している第二ウォームホイールが設置され、前記ギヤチャンバの中には前記第二ウォームホイールと噛み合っている第二ウォームが回転できるように設置され、前記第一切替チャンバの右壁の中には第一スライドチャンバが設置され、前記第一スライドチャンバの底壁の中には第二切替チャンバが設置され、前記第一スライドチャンバの中には第一スライドブロックがスライドできるように設置され、前記第一スライドブロックの左壁の中には第一モータが固定的に設置され、前記第一モータの出力軸の末端には第四ベベルギヤが固定的に設置され、前記第一スライドブロックの中にはネジ穴が設置され、前記ネジ穴の中には前記第二ウォームと固定的に連結される第一ネジロッドがネジ山により連結され、前記第一ネジロッドの底部が前記第二切替チャンバに挿入されており、且つ前記第一ネジロッドの底部の末端には第二ギヤが固定的に連結され、前記第一ウォームホイールが回転して前記ソーラーパネルを連動させて回転させて日光を遮り、同時に前記ソーラーパネルが日差しのもとで電気量を生じて貯蔵を行う。
【０００６】
好ましくは、前記第二切替チャンバの底壁の中には第二スライドチャンバが設置され、前記第二スライドチャンバの中には第二スライドブロックがスライドできるように設置され、前記第二スライドブロックの底壁には第二ラックが固定的に装着され、前記第二スライドブロックの頂壁の中には第二モータが固定的に設置され、前記第二モータの出力軸の末端には第三ギヤが固定的に設置され、前記第二切替チャンバの底壁の中には回転チャンバが設置され、前記回転チャンバと前記第二切替チャンバとの間には第三回転軸が回転できるように設置され、前記第二切替チャンバの中の前記第三回転軸の末端には前記第三ギヤと噛み合っている第四ギヤが固定的に設置され、前記回転チャンバの中には第四回転軸が回転できるように設置され、前記回転チャンバの中の第四回転軸の外面には前記第五ベベルギヤと噛み合っている第六ベベルギヤが固定的に設置され、前記第四回転軸の前後両側の末端が前記本体を貫通しており、且つ前記第四回転軸の前後両側の末端には第一ローラが固定的に設置され、前記第二モータを始動して回転させて前記第一ローラを連動させて回転させ、これにより前記本体を連動させて移動させる。
【０００７】
好ましくは、前記第一切替チャンバの底壁の中にはカムチャンバ及び前記カムチャンバの下方に位置しているベルトチャンバが設置され、前記ベルトチャンバと前記第一切替チャンバとの間には前記カムチャンバを貫通している第五回転軸が回転できるように設置され、前記第一切替チャンバの中の前記第五回転軸の末端には第七ベベルギヤが固定的に設置され、前記カムチャンバの中の前記第五回転軸の末端にはカムが固定的に設置され、前記ベルトチャンバの中の前記第五回転軸の末端には第一プーリが固定的に設置され、前記カムチャンバの右壁の中にはスライド孔が設置され、前記スライド孔の中には第三ラックがスライドできるように設置され、前記第三ラックと前記スライド孔の端壁との間には復帰装置が弾性的に設置され、前記スライド孔と前記第二スライドチャンバとの間には空きチャンバが回転できるように設置され、前記空きチャンバの中には前記第二ラック及び第三ラックと噛み合っている第五ギヤが回転できるように設置され、前記ベルトチャンバの底壁の中には第六回転軸が回転できるように設置され、前記ベルトチャンバの中の前記第六回転軸の末端には第二プーリが固定的に設置され、前記第二プーリと前記第一プーリとの間がベルトにより伝動できるように連結され、前記第六回転軸の底部が本体から突き出されており、且つ前記第六回転軸の末端には回転ベースが固定的に設置され、前記回転ベースの中には第二ローラが回転できるように設置され、前記第一モータを始動して小さい角度で回転させて前記回転ベースを連動させて回転させ、これにより前記本体が連動して方向を変える。
【発明の効果】
【０００８】
本発明の有益効果は：本発明の自動車の日除け装置は日差しの状況によりソーラーパネルの角度を調節でき、日除け効果が良いだけでなく、発電効率も比較的に高い。
【図面の簡単な説明】
【０００９】
本発明の実施例または従来技術における技術プランをもっとはっきり説明するために、以下は実施例または従来技術を説明する時に必要な付図を簡単に紹介する。一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１０】
【図１】図１は本発明の自動車の日除け装置の全体構成模式図
【図２】図２は図１の中のＡの拡大構成模式図
【図３】図３は図１の中のＢの拡大構成模式図
【図４】図４は図１の中のＣの拡大構成模式図
【図５】図５は図１の中のＤ方向の模式図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
以下に図１〜５を交えて本発明について詳しく説明する。便利に叙述するために、後文に出る方位を下記の通りに規定する：後文に出る上下左右前後方向は図１本体の投影関係の上下左右前後方向と一致する。
【００１３】
図１〜５に示すように、本発明の自動車の日除け装置は、本体１０及び前記本体１０の中に設置されるスライド移動溝３４を含み、前記スライド移動溝３４の底壁の中には第一切替チャンバ３７が設置され、前記スライド移動溝３４の中にはスライドフレーム２４が設置され、前記スライドフレーム２４の右壁には第一ラック１７が固定されており、前記スライドフレーム２４の中には伝動チャンバ２５が設置され、前記伝動チャンバ２５の底壁の中にはスプラインスリーブ３３が回転できるように設置され、前記伝動チャンバ２５の中の前記スプラインスリーブ３３の末端には第一ベベルギヤ２７が固定的に設置され、前記スプラインスリーブ３３の底壁の中にはスプライン孔３１が設置され、前記スプライン孔３１の中にはスプライン軸３２がスプラインにより連結され、前記スプライン軸３２の底部が前記第一切替チャンバ３７の中に伸びており、且つ前記スプライン軸３２の底部の末端には第二ベベルギヤ３６が固定的に設置され、前記伝動チャンバ２５の右壁の中には第一ウォーム２０が回転できるように設置され、前記伝動チャンバ２５の中の前記第一ウォーム２０の末端には前記第一ベベルギヤ２７と噛み合っている第三ベベルギヤ２６が固定的に設置され、前記スライドフレーム２４の右壁には第一回転軸２３が回転できるように設置され、前記第一回転軸２３の外部にはソーラーパネル２２及び前記第一ウォーム２０と噛み合っている第一ウォームホイール２１が固定的に設置され、前記スライド移動溝３４の右壁の中にはギヤチャンバ１８が設置され、前記ギヤチャンバ１８の中には第二回転軸２９が回転できるように設置され、前記第二回転軸２９の外部には前記第一ラック１７と噛み合っている第一ギヤ３０が前後対称的に固定的に設置され、前記第二回転軸２９の外部には前後二つの前記第一ギヤ３０の間に位置している第二ウォームホイール２８が設置され、前記ギヤチャンバ１８の中には前記第二ウォームホイール２８と噛み合っている第二ウォーム１９が回転できるように設置され、前記第一切替チャンバ３７の右壁の中には第一スライドチャンバ１５が設置され、前記第一スライドチャンバ１５の底壁の中には第二切替チャンバ６４が設置され、前記第一スライドチャンバ１５の中には第一スライドブロック１１がスライドできるように設置され、前記第一スライドブロック１１の左壁の中には第一モータ１３が固定的に設置され、前記第一モータ１３の出力軸の末端には第四ベベルギヤ１４が固定的に設置され、前記第一スライドブロック１１の中にはネジ穴１２が設置され、前記ネジ穴１２の中には前記第二ウォーム１９と固定的に連結される第一ネジロッド１６がネジ山により連結され、前記第一ネジロッド１６の底部が前記第二切替チャンバ６４に挿入されており、且つ前記第一ネジロッド１６の底部の末端には第二ギヤ５１が固定的に連結され、前記第一ウォームホイール２１が回転して前記ソーラーパネル２２を連動させて回転させて日光を遮り、同時に前記ソーラーパネル２２が日差しのもとで電気量を生じて貯蔵を行う。
【００１４】
有益的には、前記第二切替チャンバ６４の底壁の中には第二スライドチャンバ５４が設置され、前記第二スライドチャンバ５４の中には第二スライドブロック５３がスライドできるように設置され、前記第二スライドブロック５３の底壁には第二ラック５５が固定的に装着され、前記第二スライドブロック５３の頂壁の中には第二モータ５２が固定的に設置され、前記第二モータ５２の出力軸の末端には第三ギヤ５０が固定的に設置され、前記第二切替チャンバ５４の底壁の中には回転チャンバ５８が設置され、前記回転チャンバ５８と前記第二切替チャンバ５４との間には第三回転軸６２が回転できるように設置され、前記第二切替チャンバ５４の中の前記第三回転軸６２の末端には前記第三ギヤ５０と噛み合っている第四ギヤ６３が固定的に設置され、前記回転チャンバ５８の中には第四回転軸６０が回転できるように設置され、前記回転チャンバ５８の中の第四回転軸６０の外面には前記第五ベベルギヤ６１と噛み合っている第六ベベルギヤ５９が固定的に設置され、前記第四回転軸６０の前後両側の末端が前記本体１０を貫通しており、且つ前記第四回転軸６０の前後両側の末端には第一ローラ４０が固定的に設置され、前記第二モータ５２を始動して回転させて前記第一ローラ４０を連動させて回転させ、これにより前記本体１０を連動させて移動させる。
【００１５】
有益的には、前記第一切替チャンバ３７の底壁の中にはカムチャンバ４９及び前記カムチャンバ４９の下方に位置しているベルトチャンバ４６が設置され、前記ベルトチャンバ４６と前記第一切替チャンバ３７との間には前記カムチャンバ４９を貫通している第五回転軸４１が回転できるように設置され、前記第一切替チャンバ３７の中の前記第五回転軸４１の末端には第七ベベルギヤ３８が固定的に設置され、前記カムチャンバ４９の中の前記第五回転軸４１の末端にはカム４２が固定的に設置され、前記ベルトチャンバ４６の中の前記第五回転軸４１の末端には第一プーリ４４が固定的に設置され、前記カムチャンバ４９の右壁の中にはスライド孔４７が設置され、前記スライド孔４７の中には第三ラック４８がスライドできるように設置され、前記第三ラック４８と前記スライド孔４７の端壁との間には復帰装置３９が弾性的に設置され、前記スライド孔４７と前記第二スライドチャンバ５４との間には空きチャンバ５６が回転できるように設置され、前記空きチャンバ５６の中には前記第二ラック５５及び第三ラック４８と噛み合っている第五ギヤ５７が回転できるように設置され、前記ベルトチャンバ４６の底壁の中には第六回転軸６６が回転できるように設置され、前記ベルトチャンバ４６の中の前記第六回転軸６６の末端には第二プーリ６５が固定的に設置され、前記第二プーリ６５と前記第一プーリ４４との間がベルト４５により伝動できるように連結され、前記第六回転軸６６の底部が本体１０から突き出されており、且つ前記第六回転軸６６の末端には回転ベース６７が固定的に設置され、前記回転ベース６７の中には第二ローラ６８が回転できるように設置され、前記第一モータ１３を始動して小さい角度で回転させて前記回転ベース６７を連動させて回転させ、これにより前記本体１０が連動して方向を変える。
【００１６】
以下、出願人は付図１−５及び上記の本出願の自動車の日除け装置の具体的な構成を参照してその使用方法を詳しく紹介する：
【００１７】
第二モータ５２を始動して回転させ、これにより第三ギヤ５０を連動させて回転させ、これにより第四ギヤ６３と第五ベベルギヤ６１と第六ベベルギヤ５９と第一ローラ４０とを連動させて回転させ、これにより本体１０を連動させて移動させ、同時に第一モータ１３を始動して小さい角度で回転させ、これにより第四ベベルギヤ１４を連動させて回転させ、これにより第七ベベルギヤ３８と第一プーリ４４と第二プーリ６５と回転ベース６７とを連動させて移動させ、これにより本体１０が方向を変え、これにより本体１０を車の片側に移動させ、そして第一モータ１３を始動して第四ベベルギヤ１４を連動させて半周回転させ、これによりカム４２を連動させて半周回転させ、これにより第三ラック４８を連動させて右へ移動させ、これにより第二スライドブロック５３を連動させて左へ移動させ、これにより第三ギヤ５０を連動させて第二ギヤ５１と噛み合わせ、この時、第二モータ５２を始動して回転させ、これにより第三ギヤ５０を連動させて回転させ、これにより第二ギヤ５１を連動させて回転させ、これにより第一ネジロッド１６及び第二ウォーム１９を連動させて回転させ、これにより第一スライドブロック１１を連動させて上へ移動させ、第四ベベルギヤ１４を連動させて第二ベベルギヤ３６と噛み合わせ、同時に第二ウォーム１９が回転して第二ウォームホイール２８及び第一ギヤ３０を連動させて回転させ、これによりスライドフレーム２４を連動させて上へ移動させ、この時、第一モータ１３を始動して回転させ、これにより第二ベベルギヤ３６を連動させて回転させ、これによりスプライン軸３２とスプラインスリーブ３３と第一ベベルギヤ２７と第三ベベルギヤ２６と第一ウォーム２０とを連動させて回転させ、これにより第一ウォームホイール２１を連動させて回転させ、これによりソーラーパネル２２が連動して回転して日光を遮り、同時にソーラーパネル２２が日差しのもとで電気量を生じて貯蔵を行う。
【００１８】
上記の詳しい分析から分かることは：本発明の自動車の日除け装置は日差しの状況によりソーラーパネルの角度を調節でき、日除け効果が良いだけでなく、発電効率も比較的に高い。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020172240.tif 000003
【図２】
2020172240.tif 000004
【図３】
2020172240.tif 000005
【図４】
2020172240.tif 000006
【図５】
2020172240.tif 000007